(57)【特許請求の範囲】
【請求項１】
少なくとも１つの光ファイバ（Ｆ１、．．．、Ｆ６、ＰＩＧＴ１、ＰＩＧＴ２、ＰＩＧＴ３）および少なくとも１つの導体（ＣＯＮＤ＿ｉｎ、ＣＯＮＤ＿ｏｕｔ）を有するケーブル（ＣＡＢＬＥ１）と、
入口（ＩＮＬ）および出口（ＯＵＴＬ）を有し、かつ前記ケーブル（ＣＡＢＬＥ１）の前記少なくとも１つの導体（ＣＯＮＤ＿ｉｎ、ＣＯＮＤ＿ｏｕｔ）に接続された第１の電気的接触手段（ＣＥ１＿ｉｎ＿１、ＣＥ１＿ｉｎ＿２）を有する第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）を有する少なくとも１つのコネクタ（ＣＯＮ１、ＣＯＮ２、ＣＯＮ３）と
を備える組立体（ＡＳＢＹ１、ＡＳＢＹ２）であって、
前記第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）、前記入口（ＩＮＬ）および前記出口（ＯＵＴＬ）が、前記コネクタ（ＣＯＮ１、ＣＯＮ２、ＣＯＮ３）の前記第１の電気的接触手段（ＣＥ１＿ｉｎ＿１、ＣＥ１＿ｉｎ＿２）と前記ケーブル（ＣＡＢＬＥ１）の前記少なくとも１つの導体（ＣＯＮＤ＿ｉｎ、ＣＯＮＤ＿ｏｕｔ）の間の第１の電気的接続を完全に囲み、
前記ケーブル（ＣＡＢＬＥ１）が、前記少なくとも１つの導体（ＣＯＮＤ＿ｉｎ、ＣＯＮＤ＿ｏｕｔ）とともに前記入口（ＩＮＬ）から突出し、
前記ケーブル（ＣＡＢＬＥ１）の末端部が、前記少なくとも１つの光ファイバ（Ｆ１、．．．、Ｆ６、ＰＩＧＴ１、ＰＩＧＴ２、ＰＩＧＴ３）とともに前記出口（ＯＵＴＬ）から突出する
組立体（ＡＳＢＹ１、ＡＳＢＹ２）。
【請求項２】
前記第１の電気的接触手段（ＣＥ１＿ｉｎ＿１、ＣＥ１＿ｉｎ＿２）が、前記第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）の中央の前後軸のまわりに配置される請求項１に記載の組立体（ＡＳＢＹ１、ＡＳＢＹ２）。
【請求項３】
前記第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）が、導電材料から成る請求項１または２に記載の組立体（ＡＳＢＹ１、ＡＳＢＹ２）。
【請求項４】
前記コネクタ（ＣＯＮ１、ＣＯＮ２、ＣＯＮ３）が、過電圧保護手段（ＯＰＭ１）をさらに備え、前記過電圧保護手段（ＯＰＭ１）が、前記コネクタ（ＣＯＮ１、ＣＯＮ２、ＣＯＮ３）の前記第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）および前記第１の電気的接触手段（ＣＥ１＿ｉｎ＿１、ＣＥ１＿ｉｎ＿２）に電気的に接続される請求項３に記載の組立体（ＡＳＢＹ１、ＡＳＢＹ２）。
【請求項５】
前記ケーブル（ＣＡＢＬＥ１）が同軸ケーブルであり、前記コネクタ（ＣＯＮ１、ＣＯＮ２、ＣＯＮ３）が第２の電気的接触手段（ＣＥ１＿ｏｕｔ＿１、ＣＥ１＿ｏｕｔ＿２、ＣＰ＿ｏｕｔ＿１）を備え、前記第１の筺体（ＥＮＣＬ１＿ＣＯＮ１＿Ｐ１、ＥＮＣＬ１＿ＣＯＮ１＿Ｐ２、ＣＯＮ３＿ＰＡＲＴ１）、前記入口（ＩＮＬ）および前記出口（ＯＵＴＬ）が、前記コネクタ（ＣＯＮ１、ＣＯＮ２、ＣＯＮ３）の前記第２の電気的接触手段（ＣＥ１＿ｏｕｔ＿１、ＣＥ１＿ｏｕｔ＿２、ＣＰ＿ｏｕｔ＿１）と前記ケーブル（ＣＡＢＬＥ１）の第２の導体（ＣＯＮＤ＿ｉｎ、ＣＯＮＤ＿ｏｕｔ）の間の第２の電気的接続を完全に囲み、前記コネクタ（ＣＯＮ１、ＣＯＮ２、ＣＯＮ３）の前記少なくとも１つの電気的接触手段（ＣＥ１＿ｏｕｔ＿１、ＣＥ１＿ｏｕｔ＿２、ＣＰ＿ｏｕｔ＿１、ＣＥ１＿ｉｎ＿１、ＣＥ１＿ｉｎ＿２）が、前記同軸ケーブルの内部導体（ＣＯＮＤ＿ｉｎ）に接続するように適合され、前記コネクタ（ＣＯＮ１、ＣＯＮ２、ＣＯＮ３）の前記第２の電気的接触手段（ＣＥ１＿ｏｕｔ＿１、ＣＥ１＿ｏｕｔ＿２、ＣＰ＿ｏｕｔ＿１）が、前記同軸ケーブルの外部導体（ＣＯＮＤ＿ｏｕｔ）に接続するように適合される請求項１乃至４のいずれか１項に記載の組立体（ＡＳＢＹ１、ＡＳＢＹ２）。
【請求項６】
前記コネクタ（ＣＯＮ３）が、前記ケーブル（ＣＡＢＬＥ１）の前記少なくとも１つの光ファイバ（Ｆ１、．．．、Ｆ６、ＰＩＧＴ１、ＰＩＧＴ２、ＰＩＧＴ３）用の入口（ＩＮＬ＿２）および前記少なくとも１つの光ファイバ（Ｆ１、．．．、Ｆ６、ＰＩＧＴ１、ＰＩＧＴ２、ＰＩＧＴ３）用の出口（ＯＵＴＬ＿２）を有する第２の筺体（ＣＯＮ３＿ＰＡＲＴ２）をさらに備え、前記少なくとも１つの光ファイバ（Ｆ１、．．．、Ｆ６、ＰＩＧＴ１、ＰＩＧＴ２、ＰＩＧＴ３）が、前記第２の筺体（ＣＯＮ３＿ＰＡＲＴ２）の前記入口（ＩＮＬ＿２）および前記出口（ＯＵＴＬ＿２）から突出し、前記第１の筺体（ＣＯＮ３＿ＰＡＲＴ１）の前記出口（ＯＵＴＬ）が、前記第２の筺体（ＣＯＮ３＿ＰＡＲＴ２）の前記入口（ＩＮＬ＿２）の中に通る請求項１乃至５のいずれか１項に記載の組立体（ＡＳＢＹ２）。
【請求項７】
前記第２の筺体（ＣＯＮ３＿ＰＡＲＴ２）が、前記第１の筺体（ＣＯＮ３＿ＰＡＲＴ１）に取付け可能である請求項６に記載の組立体（ＡＳＢＹ２）。
【請求項８】
前記少なくとも１つの光ファイバ（Ｆ１、．．．、Ｆ６、ＰＩＧＴ１、ＰＩＧＴ２、ＰＩＧＴ３）が、前記第２の筺体（ＣＯＮ３＿ＰＡＲＴ２）の中で充填材（ＦＭ）によって固定される請求項６に記載の組立体（ＡＳＢＹ２）。
【請求項９】
前記第２の筺体（ＣＯＮ３＿ＰＡＲＴ２）が中空円筒であり、前記充填材（ＦＭ）が、前記中空円筒の中空空間を完全に充填する請求項８に記載の組立体（ＡＳＢＹ２）。
【請求項１０】
前記中空円筒の内径が、溶融した、または液体状態の前記充填材（ＦＭ）の流動挙動に適合され、前記中空円筒の前記内径が、前記少なくとも１つの光ファイバ（Ｆ１、．．．、Ｆ６）の数に適合される請求項９に記載の組立体（ＡＳＢＹ２）。
【請求項１１】
前記中空円筒の全長が、前記充填材（ＦＭ）の軟度もしくは剛性および／または前記少なくとも１つの光ファイバ（Ｆ１、．．．、Ｆ６、ＰＩＧＴ１、ＰＩＧＴ２、ＰＩＧＴ３）の動作中に、前記少なくとも１つの光ファイバ（Ｆ１、．．．、Ｆ６、ＰＩＧＴ１、ＰＩＧＴ２、ＰＩＧＴ３）に対して影響を与える機械的力に適合され、前記充填材（ＦＭ）は、前記少なくとも１つの光ファイバ（Ｆ１、．．．、Ｆ６、ＰＩＧＴ１、ＰＩＧＴ２、ＰＩＧＴ３）を、前記中空円筒の前記全長にわたって囲む請求項９に記載の組立体（ＡＳＢＹ２）。
【請求項１２】
前記ケーブル（ＣＡＢＬＥ１）の中空導体が、前記少なくとも１つの光ファイバ（Ｆ１、．．．、Ｆ６）を備え、前記少なくとも１つの光ファイバ（Ｆ１、．．．、Ｆ６）が、前記ケーブル（ＣＡＢＬＥ１）の開放端から突出する請求項１乃至１１のいずれか１項に記載の組立体（ＡＳＢＹ１、ＡＳＢＹ２）。
【請求項１３】
前記ケーブル（ＣＡＢＬＥ１）の前記少なくとも１つの導体（ＣＯＮＤ＿ｉｎ、ＣＯＮＤ＿ｏｕｔ）が、前記少なくとも１つのコネクタ（ＣＯＮ１、ＣＯＮ２、ＣＯＮ３）によって終端される請求項１乃至１２のいずれか１項に記載の組立体（ＡＳＢＹ１、ＡＳＢＹ２）。
【発明の詳細な説明】
【技術分野】
【０００１】
本発明は、筺体および少なくとも１つの電気的接触手段を備えるコネクタと、コネクタおよびコネクタに接続されたケーブルを備える組立体とに関する。
【背景技術】
【０００２】
ＧＳＭ（ＧＳＭ＝広域自動車通信システム）またはＵＭＴＳ（ＵＭＴＳ＝ユニバーサル・モバイル通信システム）などの通常のセルラー移動通信システムでは、基地局と施設内の非励振アンテナまたは光ファイバなどのデータ接続との間にデータ接続リンクが必要とされ、また、基地局とＲＲＨ（ＲＲＨ＝無線リモート・ヘッド）など施設内のアクティブ・アンテナの間に電力ラインが必要とされる。基地局の基地局ラックと基地局のアンテナの間の光ファイバの使用は、ＦＴＴＡ（ＦＴＴＡ＝ファイバ・ツー・ザ・アンテナ（fibre to the antenna））として知られている。
【０００３】
光ファイバ上の低損失、基地局とＲＲＨの間の大きな距離の橋渡し、および低エネルギー消費などといった、ＲＲＨおよび光ファイバを使用することの利点には、電源用に個別のケーブル接続を与えるという必要性が伴う。
【０００４】
従来、基地局と基地局のアンテナの間のデータ接続リンクは、アップリンクの通信リンクとダウンリンクの通信リンクに分離される。
【０００５】
基地局の無線セルは、各無線セクタの１２０度の円弧範囲を有する３つの無線セクタ、または各無線セクタの６０度の円弧範囲を有する６つの無線セクタへと分割されてよい。各無線セクタには個別のアンテナが対応する。これは、通常、基地局の基地局ラックと基地局のアンテナの間に６つまたは１２のデータ接続リンクを設置する必要があることを意味する。
【０００６】
ＨＳＰＡ（ＨＳＰＡ＝高速パケット・アクセス）またはＬＴＥ（ＬＴＥ＝ロング・ターム・エボリューション（Long Term Evolution））など将来の無線通信システムのデータ転送率は、基地局と移動局の間にＭＩＭＯ伝送（ＭＩＭＯ＝多重入出力）を使用することによって向上するはずである。これには、基地局とＭＩＭＯアンテナ・システムの位置の間に追加の接続または新規の接続を設置する必要がある。
【０００７】
単一の保護外層を有する伝送路にデータ接続リンクおよび電力ラインを組み合わせるのに、少なくとも１つの光学伝導体および少なくとも１つの光ファイバを備えたハイブリッド・ケーブルを使用することができる。同軸の配線ケーブルに分岐線を接続するために、同軸の配線ケーブルの端面に同軸コネクタを付ける代わりに、同軸ケーブルの外部導体に接続するように適合されたサドルおよび同軸ケーブルの内部導体に接続するように適合された内部導電要素を有する同軸コネクタを、同軸ケーブルに対して横から接続することができる。
【発明の概要】
【発明が解決しようとする課題】
【０００８】
ケーブルにコネクタを付けるやり方は、取付けの負担、設置経費および封止条件に影響を及ぼす。
【０００９】
したがって、本発明は、取付けの負担および設置経費を軽減し、封止条件を改善することを目的とする。
【課題を解決するための手段】
【００１０】
この目的は、第１の筺体および少なくとも１つの電気的接触手段を備えたコネクタによって達成される。第１の筺体は、第１のケーブルのための入口および出口を備える。第１の筺体、入口および出口は、コネクタの少なくとも１つの電気的接触手段と第１のケーブルの少なくとも１つの導体の間の第１の電気的接続を完全に囲むように適合されている。
【００１１】
この目的は、ケーブルと、ケーブルに接続されたコネクタとを備える組立体によってさらに達成される。
【００１２】
第１のケーブルは、例えば、導電体および１つまたはいくつかの光ファイバを備えるハイブリッド・ケーブル、あるいは同軸ケーブルの中空の内部導体の内部に１つまたはいくつかの追加の導体を備える同軸ケーブルでよい。
【００１３】
本発明は、用意の整った取付けキットを提供するという第１の利益を有する。取付け作業員は、ＲＲＨの位置について、それまでアンテナに取り付けられていた同軸ケーブルの既存の同軸コネクタを切断して、コネクタを同軸ケーブルに対して横方向に付ける。アンテナ支柱において、設置されている同軸ケーブルを取り外したり、新規の電力ラインを再設置したりする必要がない。それによって、より簡単に取り付けることができ（アンテナ支柱に沿った据付工事がなく）、取付け時間がかなり短縮される。
【００１４】
本発明は、コネクタの１つまたはいくつかの電気的接触手段と第１のケーブルの１つまたはいくつかの導体の間の第１の電気的接続用の第１の筺体により、環境条件に対する保護を前もって与えるという第２の利点を提供する。例えば収縮可能なプラスチック材料またはプラスチック・モールドによって第１の電気的接続をカバーすることなどといった、いかなる追加の取付けステップも不要である。
【００１５】
本発明は、例えば岐線ケーブルを各ＲＲＨ向けのジャンパ・ケーブルへと分割するための追加の分電箱が不要になるという第３の利益を提供する。このコネクタは、ジャンパ・ケーブルをコネクタの電気的接触手段に接続するための第１の筺体に追加の開口を設けることにより、分電箱の機能に取って代わることができる。
【００１６】
本発明は、第１の筺体から、第１のケーブルの末端部の延長部分を用意するという第４の利益を提供する。これにより、第１のケーブルのさらなる導体に対してさらなる個別のコネクタを与える、または第１のケーブルの端面から突出する光ファイバにスプライス（splice）を付けることが可能になる。さらなる導体または光ファイバは、第１のケーブルの内部中空導体の中、または第１のケーブルの内部導体と同心の外部導体との間に配置されてよい。
【００１７】
本発明の以下の詳細な説明では、本発明のさらに有利な特徴が明らかにされ、説明される。
【００１８】
本発明の実施形態が、以下の詳細な説明で明らかになるはずであり、限定的でない説明として与えられる添付図によって示されることになる。
【図面の簡単な説明】
【００１９】
【図１】例示的実施形態によるコネクタのブロック図を概略的に示す２つの断面図である。
【図２】例示的実施形態による組立体のブロック図を概略的に示す斜視図である。
【図３】さらなる例示的実施形態による組立体のブロック図を概略的に示す斜視図である。
【図４】本発明の適用例による基地局を概略的に示すブロック図である。
【発明を実施するための形態】
【００２０】
図１は、例示的実施形態によるコネクタＣＯＮ１のブロック図を２つの断面図で概略的に示す（コネクタＣＯＮ１が１８０度回転して示されている図２も参照されたい）。図１ｂ）は、図１ａ）に示された断面のラインＣＳＬの断面図を示す。
【００２１】
コネクタＣＯＮ１は、第１の筺体ＥＮＣＬ１＿ＣＯＮ１＿Ｐ１、ＥＮＣＬ１＿ＣＯＮ１＿Ｐ２、第１の電気的接触手段ＣＥ１＿ｏｕｔ＿１、ＣＥ１＿ｏｕｔ＿２、ＣＰ＿ｏｕｔ＿１および好ましくは第２の電気的接触手段ＣＥ１＿ｉｎ＿１、ＣＥ１＿ｉｎ＿２を備える。
【００２２】
あるいは、コネクタＣＯＮ１は、単一の電気的接触手段のみ、または２つより多くの電気的接触手段を備えてよい。コネクタＣＯＮ１が単一の電気的接触手段のみを備える場合には、閉じた電気的回路を達成するために、さらなる単一の電気的接触手段を備えるさらなるコネクタが使用されてもよい。
【００２３】
第１の筺体ＥＮＣＬ１＿ＣＯＮ１＿Ｐ１、ＥＮＣＬ１＿ＣＯＮ１＿Ｐ２は、好ましくは、それぞれが中央開口を備える円形のプレートで端面を閉じた中空円筒の幾何形状を有してよい。第１の中央開口は、第１のケーブル用の入口ＩＮＬとして用いられ、第２の中央開口は、第１のケーブル用の出口ＯＵＴＬとして用いられる。
【００２４】
あるいは、第１の筺体ＥＮＣＬ１＿ＣＯＮ１＿Ｐ１、ＥＮＣＬ１＿ＣＯＮ１＿Ｐ２の幾何形状は、例えば長方形の箱でよい。他の幾何学的形状も適用されてよい。
【００２５】
第１の筺体ＥＮＣＬ１＿ＣＯＮ１＿Ｐ１、ＥＮＣＬ１＿ＣＯＮ１＿Ｐ２、入口ＩＮＬおよび出口ＯＵＴＬは、第１の電気的接触手段ＣＥ１＿ｏｕｔ＿１、ＣＥ１＿ｏｕｔ＿２、ＣＰ＿ｏｕｔ＿１と第１のケーブルの第１の導体の間の第１の電気的接続、および第２の電気的接触手段ＣＥ１＿ｉｎ＿１、ＣＥ１＿ｉｎ＿２と第１のケーブルの第２の導体の間の第２の電気的接続を完全に囲むように適合される。第１の筺体ＥＮＣＬ１＿ＣＯＮ１＿Ｐ１、ＥＮＣＬ１＿ＣＯＮ１＿Ｐ２は、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２を備える第１の部分ＥＮＣＬ１＿ＣＯＮ１＿Ｐ１と、第１の部分ＥＮＣＬ１＿ＣＯＮ１＿Ｐ１から取外し可能な第２の部分ＥＮＣＬ１＿ＣＯＮ１＿Ｐ２に分割されてよい。第１の部分ＥＮＣＬ１＿ＣＯＮ１＿Ｐ１と第２の部分ＥＮＣＬ１＿ＣＯＮ１＿Ｐ２の間の固定は、当業者によって知られているねじまたはクランプなどの固定手段によって遂行されてよい。第２の部分ＥＮＣＬ１＿ＣＯＮ１＿Ｐ２は、コネクタＣＯＮ１の第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２と、同軸ケーブルなどのケーブルの導体の間の安全で高信頼の電気接触を可能にするために、好ましくは第１の部分ＥＮＣＬ１＿ＣＯＮ１＿Ｐ１から移動可能である。
【００２６】
第１の部分ＥＮＣＬ１＿ＣＯＮ１＿Ｐ１および第２の部分ＥＮＣＬ１＿ＣＯＮ１＿Ｐ２は、例えば中空円筒の半殻でよい（図１ｂ）を参照されたい）。あるいは、第１の部分ＥＮＣＬ１＿ＣＯＮ１＿Ｐ１が、第１の筺体ＥＮＣＬ１＿ＣＯＮ１＿Ｐ１、ＥＮＣＬ１＿ＣＯＮ１＿Ｐ２の大部分を備えてよく、第２の部分ＥＮＣＬ１＿ＣＯＮ１＿Ｐ２は、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２をケーブルの導体に固定するための、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２のねじなどの固定手段への接続のみを可能にする。
【００２７】
好ましくは、第１の筺体は、第１の部分ＥＮＣＬ１＿ＣＯＮ１＿Ｐ１と第２の部分ＥＮＣＬ１＿ＣＯＮ１＿Ｐ２の間に第１のシールＳＬ１＿１を備える（図１ｂを参照されたい）。第１のシールＳＬ１＿１は、例えば第２の部分ＥＮＣＬ１＿ＣＯＮ１＿Ｐ２の境界ストリップに対して対面する第１の部分ＥＮＣＬ１＿ＣＯＮ１＿Ｐ１の境界ストリップに取り付けるゴムのガスケットでよい。さらなる代替形態では、ケーブルを、コネクタＣＯＮ１を通して入口ＩＮＬから出口ＯＵＴＬへと押すだけで、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２をケーブルの導体と接触させることも可能になり得る。このような場合、第１の筺体ＥＮＣＬ１＿ＣＯＮ１＿Ｐ１、ＥＮＣＬ１＿ＣＯＮ１＿Ｐ２の開口は不要になり得て、また、第１の筺体ＥＮＣＬ１＿ＣＯＮ１＿Ｐ１、ＥＮＣＬ１＿ＣＯＮ１＿Ｐ２は単一部品でもよい。
【００２８】
好ましくは、第１の筺体ＥＮＣＬ１＿ＣＯＮ１＿Ｐ１、ＥＮＣＬ１＿ＣＯＮ１＿Ｐ２は、銅、アルミニウムまたはステンレス鋼などの電気的導電材料から成ってよい。あるいは、第１の筺体ＥＮＣＬ１＿ＣＯＮ１＿Ｐ１、ＥＮＣＬ１＿ＣＯＮ１＿Ｐ２は、例えばＰＶＣまたはポリアミドなどのプラスチック材料を含んでよい。
【００２９】
図１ａ）の例示的実施形態に示されるように、第１の筺体ＥＮＣＬ１＿ＣＯＮ１＿Ｐ１、ＥＮＣＬ１＿ＣＯＮ１＿Ｐ２の外側から第１の筺体ＥＮＣＬ１＿ＣＯＮ１＿Ｐ１、ＥＮＣＬ１＿ＣＯＮ１＿Ｐ２の入口側へと、第２のシールＳＬ１＿２が取り付けられてよい。第２のシールＳＬ１＿２は、例えば、入口ＩＮＬの内径より好ましくはわずかに小さい内径を有する円筒状のゴムリングでよい。
【００３０】
第１の筺体ＥＮＣＬ１＿ＣＯＮ１＿Ｐ１、ＥＮＣＬ１＿ＣＯＮ１＿Ｐ２の出口側において、第３のシールＳＬ１＿３を、出口ＯＵＴＬの内側縁端部に取り付けてよい。第３のシールＳＬ１＿３は、例えばｏリングでよい。あるいは、図１ａ）に示されるように、入口ＩＮＬに付けたのと類似のシールを出口ＯＵＴＬに付けてよく、または、出口ＯＵＴＬに付けたのと類似のシールを入口ＩＮＬに付けてよい。
【００３１】
第１のケーブルの外面に対して第１の筺体ＥＮＣＬ１＿ＣＯＮ１＿Ｐ１、ＥＮＣＬ１＿ＣＯＮ１＿Ｐ２を密閉するために、第２のシールＳＬ１＿２および第３のシールＳＬ１＿３を適合させてよい。
【００３２】
コネクタＣＯＮ１の第１の電気的接触手段ＣＥ１＿ｏｕｔ＿１、ＣＥ１＿ｏｕｔ＿２、ＣＰ＿ｏｕｔ＿１および第２の電気的接触手段ＣＥｌ＿ｉｎ＿１、ＣＥ１＿ｉｎ＿２は、好ましくは第１の筺体ＥＮＣＬ１＿ＣＯＮ１＿Ｐ１、ＥＮＣＬ１＿ＣＯＮ１＿Ｐ２の中央の前後軸のまわりに配置される。
【００３３】
第１の電気的接触手段ＣＥ１＿ｏｕｔ＿１、ＣＥ１＿ｏｕｔ＿２、ＣＰ＿ｏｕｔ＿１は、例えば第１の接触板ＣＥ１＿ｏｕｔ＿１、第２の接触板ＣＥ１＿ｏｕｔ＿２および半円形のクランプＣＰ＿ｏｕｔ＿１を備えてよい。半円形のクランプＣＰ＿ｏｕｔ＿１は、例えば２つのねじＳＣ１、ＳＣ２により、第１の接触板ＣＥ１＿ｏｕｔ＿１および第２の接触板ＣＥｌ＿ｏｕｔ＿２に取付け可能になり得る。あるいは、第１の接触板ＣＥ１＿ｏｕｔ＿１および第２の接触板ＣＥ１＿ｏｕｔ＿２が、第１の筺体ＥＮＣＬ１＿ＣＯＮ１＿Ｐ１、ＥＮＣＬ１＿ＣＯＮ１＿Ｐ２の中心層から横方向に（図１ｂ）の場合は右の方へ）変位されている場合には、平板のクランプを付けてよい。
【００３４】
同様に、第２の電気的接触手段ＣＥ１＿ｉｎ＿１、ＣＥ１＿ｉｎ＿２は、例えば第１の接触板ＣＥ１＿ｉｎ＿１、第２の接触板ＣＥ１＿ｉｎ＿２および半円形のクランプを備えてよい。第２の電気的接触手段ＣＥ１＿ｉｎ＿１、ＣＥ１＿ｉｎ＿２の半円形のクランプは、例えばさらなる２つのねじＳＣ３、ＳＣ４によって、第２の電気的接触手段ＣＥ１＿ｉｎ＿１、ＣＥ１＿ｉｎ＿２の第１の接触板ＣＥ１＿ｉｎ＿１および第２の接触板ＣＥ１＿ｉｎ＿２に取付け可能になり得る。
【００３５】
好ましくは、第１の電気的接触手段ＣＥ１＿ｏｕｔ＿１、ＣＥ１＿ｏｕｔ＿２、ＣＰ＿ｏｕｔ＿１の第１の接触板ＣＥ１＿ｏｕｔ＿１と第２の接触板ＣＥ１＿ｏｕｔ＿２の間の内部距離は、同軸ケーブルの外部導体などケーブルの第１の導電体の外径に適合されてよく、また、第２の電気的接触手段ＣＥ１＿ｉｎ＿１、ＣＥ１＿ｉｎ＿２の第１の接触板ＣＥ１＿ｉｎ＿１と第２の接触板ＣＥ１＿ｉｎ＿２の間の内部距離は、同軸ケーブルの内部導体など、ケーブルの第２の導電体の内径に適合されてよい。
【００３６】
第１の電気的接触手段ＣＥ１＿ｏｕｔ＿１、ＣＥ１＿ｏｕｔ＿２、ＣＰ＿ｏｕｔ＿１は、第１の筺体ＥＮＣＬ１＿ＣＯＮ１＿Ｐ１、ＥＮＣＬ１＿ＣＯＮ１＿Ｐ２と電気接触してよい。
【００３７】
コネクタＣＯＮ１の第１の筺体ＥＮＣＬ１＿ＣＯＮ１＿Ｐ１、ＥＮＣＬ１＿ＣＯＮ１＿Ｐ２の内部の、第１の電気的接触手段ＣＥ１＿ｏｕｔ＿１、ＣＥ１＿ｏｕｔ＿２、ＣＰ＿ｏｕｔ＿１と第２の電気的接触手段ＣＥ１＿ｉｎ＿１、ＣＥ１＿ｉｎ＿２の締結部は、簡素化のために示されていない。締結部は、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２を、例えばプラスチック材料を用いて、第１の筺体ＥＮＣＬ１＿ＣＯＮ１＿Ｐ１、ＥＮＣＬ１＿ＣＯＮ１＿Ｐ２の中に成形することによって適用されてよい。当業者に既知の他の締結固定技法も適用されてよい。
【００３８】
好ましくは、コネクタＣＯＮ１は、過電圧保護のガス入り電子管など、過電圧保護手段ＯＰＭ１をさらに備える。過電圧保護手段ＯＰＭ１は、第１の接点ＣＴ１で、第２の電気的接触手段ＣＥ１＿ｉｎ＿１、ＣＥ１＿ｉｎ＿２に電気的に接続されてよく、また、第２の接点ＣＴ２で、導電材料を含む第１の筺体ＥＮＣＬ１＿ＣＯＮ１＿Ｐ１、ＥＮＣＬ１＿ＣＯＮ１＿Ｐ２に電気的に接続されてよい。第２の電気的接触手段ＣＥ１＿ｉｎ＿１、ＣＥ１＿ｉｎ＿２は、電源の段階を伝送する第１のケーブルの導体に接続するように適合され、第１の電気的接触手段ＣＥ１＿ｏｕｔ＿１、ＣＥ１＿ｏｕｔ＿２、ＣＰ＿ｏｕｔ＿１は、さらなる導体を定電位に保つ電気アースに接続された第１のケーブルのさらなる導体に接続するように適合される。
【００３９】
コネクタＣＯＮ１は、好ましくは、ケーブルＣＡＢＬＥ２（（図１ａ）を参照されたい）と、ケーブルＣＡＢＬＥ２を、第１の筺体ＥＮＣＬ１＿ＣＯＮ１＿Ｐ１、ＥＮＣＬ１＿ＣＯＮ１＿Ｐ２の内部から第１の筺体ＥＮＣＬ１＿ＣＯＮ１＿Ｐ１、ＥＮＣＬ１＿ＣＯＮ１＿Ｐ２の外部へ延在させるための開口とをさらに備える。あるいは、類似のコネクタＣＯＮ２が、複数のケーブルを備えてよい（図２の右側を参照されたい）。ケーブルＣＡＢＬＥ２は、第１の導体ＣＡＢＬＥ２＿Ｃ１および第２の導体ＣＡＢＬＥ２＿Ｃ２を備える。ケーブルＣＡＢＬＥ２が備える導体は、コネクタＣＯＮ１が単一の電気的接触手段を備える場合には１つでよく、コネクタＣＯＮ１が２つより多くの電気的接触手段を備える場合には２つより多くてよい。
【００４０】
ケーブルＣＡＢＬＥ２の第１の導体ＣＡＢＬＥ２＿Ｃ１は、第１の電気的接触手段ＣＥ１＿ｏｕｔ＿１、ＣＥ１＿ｏｕｔ＿２、ＣＰ＿ｏｕｔ＿１に接続されてよく、ケーブルＣＡＢＬＥ２の第２の導体ＣＡＢＬＥ２＿Ｃ２は、第２の電気的接触手段ＣＥ１＿ｉｎ＿１、ＣＥ１＿ｉｎ＿２に接続されてよい。
【００４１】
好ましくは、第１の筺体ＥＮＣＬ１＿ＣＯＮ１＿Ｐ１、ＥＮＣＬ１＿ＣＯＮ１＿Ｐ２のケーブルＣＡＢＬＥ２用の開口は、ケーブルＣＡＢＬＥ２の外面と第１の筺体ＥＮＣＬ１＿ＣＯＮ１＿Ｐ１、ＥＮＣＬ１＿ＣＯＮ１＿Ｐ２の内側縁端部の間にシールＳＬ１＿４を備える。シールＳＬ１＿４は、例えば熱収縮材料、ゴム輪、ゼリー・タイプの材料または非常に低温および高温においてさえ封止するのに適切なその他の材料でよい。
【００４２】
ケーブルＣＡＢＬＥ２用の開口は、入口ＩＮＬもしくは出口ＯＵＴＬに隣接して配置されてよく、または入口ＩＮＬおよび出口ＯＵＴＬを備える第１の筺体ＥＮＣＬ１＿ＣＯＮ１＿Ｐ１、ＥＮＣＬ１＿ＣＯＮ１＿Ｐ２の対向する端面の間の、第１の筺体ＥＮＣＬ１＿ＣＯＮ１＿Ｐ１、ＥＮＣＬ１＿ＣＯＮ１＿Ｐ２の外側面に配置されてよい（（図１ａ）を参照されたい）。
【００４３】
図２は、例示的実施形態による組立体ＡＳＢＹ１のブロック図を斜視図で概略的に示す。組立体ＡＳＢＹ１はコネクタＣＯＮ１を備え、第１のケーブルＣＡＢＬＥ１がコネクタＣＯＮ１に接続されている。図１の要素に相当する図２の要素は、同じ参照数字で示されている。
【００４４】
第１のケーブルＣＡＢＬＥ１は、例えば同軸ケーブルの中空の内部導体ＣＯＮＤ＿ｉｎの中に配置された、同軸ケーブルおよび６つの光ファイバＦ１、．．．、Ｆ６を備えるハイブリッド・ケーブルでよい。あるいは、ハイブリッド・ケーブルが備える光ファイバの数は、６つより多くても少なくてもよい。さらなる代替形態では、ハイブリッド・ケーブルは、中空導体として単一導体のみを備えてもよい。
【００４５】
第１の電気的接触手段ＣＥ１＿ｏｕｔ＿１、ＣＥ１＿ｏｕｔ＿２、ＣＰ＿ｏｕｔ＿１は、第１のケーブルＣＡＢＬＥ１の外部導体ＣＯＮＤ＿ｏｕｔに接続されてよく、第２の電気的接触手段ＣＥ１＿ｉｎ＿１、ＣＥ１＿ｉｎ＿２は、第１のケーブルＣＡＢＬＥ１の内部導体ＣＯＮＤ＿ｉｎに接続されてよい。好ましくは、内部導体ＣＯＮＤ＿ｉｎ、および外部導体ＣＯＮＤ＿ｏｕｔは波形導体である。あるいは、内部導体ＣＯＮＤ＿ｉｎおよび／または外部導体ＣＯＮＤ＿ｏｕｔが平坦面を備えてよい。
【００４６】
好ましくは、組立体ＡＳＢＹ１がさらなるコネクタＣＯＮ２を備え、第１のケーブルＣＡＢＬＥ１がコネクタＣＯＮ２に接続される。
【００４７】
さらなるコネクタＣＯＮ２とコネクタＣＯＮ１の間の相違は、コネクタＣＯＮ２の第１の筺体ＥＮＣＬ１＿ＣＯＮ１＿Ｐ１、ＥＮＣＬ１＿ＣＯＮ１＿Ｐ２の単一の開口または３つの別個の開口を通って第１の筺体ＥＮＣＬ１＿ＣＯＮ１＿Ｐ１、ＥＮＣＬ１＿ＣＯＮ１＿Ｐ２の内部へと与えられ、第１の電気的接触手段ＣＥ１＿ｏｕｔ＿１、ＣＥ１＿ｏｕｔ＿２、ＣＰ＿ｏｕｔ＿１および第２の電気的接触手段ＣＥ１＿ｉｎ＿１、ＣＥ１＿ｉｎ＿２へと並列接続されている３本のケーブルＣＡＢＬＥ２＿１、ＣＡＢＬＥ２＿２、ＣＡＢＬＥ２＿３の数のみであってよい。
【００４８】
ケーブルＣＡＢＬＥ１は、外部導体ＣＯＮＤ＿ｏｕｔを取り巻くプラスチック外被などの外側の保護層ＰＬ１を備えてよい。
【００４９】
好ましくは、ケーブルＣＡＢＬＥ１は、光ファイバＦ１、．．．、Ｆ６と内部中空導体ＣＯＮＤ＿ｉｎの間に、プラスチック外被などの内部保護層ＰＬ２を備えてよい。
【００５０】
好ましくは、内部保護層ＰＬ２および光ファイバＦ１、．．．、Ｆ６は、コネクタＣＯＮ１、ＣＯＮ２の出口ＯＵＴＬから突出する。さらに好ましくは、光ファイバＦ１、．．．、Ｆ６は、内部保護層ＰＬ２の端面から突出する。
【００５１】
図３は、さらなる例示的実施形態による組立体ＡＳＢＹ２のブロック図を斜視図で概略的に示す。図１および図２の要素に相当する図３の要素は、同じ参照数字で示されている。組立体ＡＳＢＹ２と図２の組立体ＡＳＢＹ１の間の相違は、コネクタＣＯＮ２がコネクタＣＯＮ３に換えられていることに相当する。コネクタＣＯＮ３の筺体は、第１の部分ＣＯＮ３＿ＰＡＲＴ１および第２の部分ＣＯＮ３＿ＰＡＲＴ２を備える。第１の部分ＣＯＮ３＿ＰＡＲＴ１は、図２に示されたコネクタＣＯＮ２と同一でよい。あるいは、第１の部分ＣＯＮ３＿ＰＡＲＴ１は、例えばコネクタＣＯＮ１と同一でよい。第２の部分ＣＯＮ３＿ＰＡＲＴ２は、例えば第２の部分ＣＯＮ３＿ＰＡＲＴ２から突出する第１のファイバのリード線ＰＩＧＴ１、第２のファイバのリード線ＰＩＧＴ２および第３のファイバのリード線ＰＩＧＴ３を備える中空の円筒でよい。ファイバのリード線ＰＩＧＴ１、ＰＩＧＴ２、ＰＩＧＴ３は、好ましくは中空円筒の前後軸に沿って中央に配置される。
【００５２】
第１の部分ＣＯＮ３＿ＰＡＲＴ１の出口ＯＵＴＬは、第２の部分ＣＯＮ３＿ＰＡＲＴ２の入口ＩＮＬ２の中に通る。
【００５３】
ファイバのリード線ＰＩＧＴ１、ＰＩＧＴ２、ＰＩＧＴ３は、例えば特定の温度範囲または特定の湿度範囲など、特定の環境条件に適合した屋外のリード線でよい。
【００５４】
第１のリード線ＰＩＧＴ１は、第１の光ファイバＦ１に結合された第７の光ファイバＦ１＿２と、第２の光ファイバＦ２に結合された第８の光ファイバＦ２＿２とを備えてよい。第２のリード線ＰＩＧＴ２は、第３の光ファイバＦ３に結合された第９の光ファイバＦ３＿２と、第４の光ファイバＦ４に結合された第１０の光ファイバＦ４＿２とを備えてよい。第３のリード線ＰＩＧＴ３は、第５の光ファイバＦ５に結合された第１１の光ファイバＦ５＿２と、第６の光ファイバＦ６に結合された第１２の光ファイバＦ６＿２とを備えてよい。光ファイバＦ１からＦ６は、位置ＰＯＳにおけるスプライス（splice）により、第２の部分ＣＯＮ３＿ＰＡＲＴ２の内部で終端される。好ましくは、位置ＰＯＳは、中空円筒の全長の三分点の中央に位置する。
【００５５】
リード線ＰＩＧＴ１からＰＩＧＴ３は、それぞれの場合にＦ１＿２からＦ６＿２の光ファイバのうちの２つを囲む保護管を備えてよい。
【００５６】
さらなる代替形態では、リード線は、１つの光ファイバまたは２つより多くの光ファイバを備える。
【００５７】
光ファイバＦ１からＦ６および光ファイバＦ１＿２からＦ６＿２は、単一モードファイバまたは多モードファイバでよい。
【００５８】
好ましくは、光ファイバＦ１からＦ６は、第２の部分ＣＯＮ３＿ＰＡＲＴ２の第１の前面から、光ファイバＦ１からＦ６が挿入され得る第１のケーブルＣＡＢＬＥ１の全長に適合した出現長さで突出する。より好ましくは、この出現長さは、第１のケーブルＣＡＢＬＥ１の全長より大きい。
【００５９】
第２の部分ＣＯＮ３＿ＰＡＲＴ２は、例えばコネクタＣＯＮ３の第２の部分ＣＯＮ３＿ＰＡＲＴ２を、例えばねじを使用することにより、すなわち第２の部分ＣＯＮ３＿ＰＡＲＴ２において、第１の部分ＣＯＮ３＿ＰＡＲＴ１の雄ねじにねじ留めされる雌ねじを使用することにより、第１の部分ＣＯＮ３＿ＰＡＲＴ１に取り付けるためのスリーブ、アダプタまたはコネクタでよい。あるいは、コネクタＣＯＮ３の第１の部分ＣＯＮ３＿ＰＡＲＴ１と第２の部分ＣＯＮ３＿ＰＡＲＴ２は、単一の被加工物から作製され、互いから取り外すことができない。
【００６０】
第２の部分ＣＯＮ３＿ＰＡＲＴ２の材料は、例えばアルミニウム、ステンレス鋼、ポリアミド６、ポリエチレン（ＰＥ）またはポリ塩化ビニル（ＰＶＣ）でよい。
【００６１】
ファイバのリード線ＰＩＧＴ１、ＰＩＧＴ２、ＰＩＧＴ３を使用する代わりに、光ファイバＦ１からＦ６が、第２の部分ＣＯＮ３＿ＰＡＲＴ２の第１の端面から第２の部分ＣＯＮ３＿ＰＡＲＴ２の第２の端面に達して、第２の部分ＣＯＮ３＿ＰＡＲＴ２の第１の端面および第２の端面から突出してよい。
【００６２】
さらなる代替形態では、組立体ＡＳＢＹ２が屋内の用途に応じて適用されてよい場合、または組立体ＡＳＢＹ２が、第１のケーブルＣＡＢＬＥ１を備える屋外取付けから屋内のリード線を備える屋内取付けへの渡りに配置される場合には、屋外のリード線ＰＩＧＴ１からＰＩＧＴ３の代わりに、屋内のリード線を使用してよい。
【００６３】
光ファイバＦ１からＦ６は、例えば充填材ＦＭにより、第２の部分ＣＯＮ３＿ＰＡＲＴ２の内部に固定される。それによって、充填材ＦＭが、スプライスを囲み得て、第１のケーブルＣＡＢＬＥ１の端面に対するシール機能も有し得る。より好ましくは、充填材ＦＭが、第１の中空円筒の完全な中空空間を充填する。
【００６４】
充填材ＦＭは、例えば２成分接着剤、エポキシ樹脂、シリコン、加硫ゴムまたはポリウレタン（ＰＵ）でよい。第１の中空円筒の第１の内径は、光ファイバＦ１からＦ６の数に適合されてよい。さらに、第１の中空円筒の第１の内径は、溶融した、または液体状態の充填材ＦＭの流れ挙動に適合されてよい。
【００６５】
充填材ＦＭは、好ましくは光ファイバＦ１からＦ６および／またはファイバのリード線ＰＩＧＴ１、ＰＩＧＴ２、ＰＩＧＴ３を、第１の中空円筒の全長にわたって囲む。第１の中空円筒の全長は、充填材ＦＭの軟度または剛性および／または光ファイバＦ１からＦ６の動作中に光ファイバＦ１からＦ６に対して影響を与える機械的力に適合されてよい。充填材ＦＭ、好ましくは１ｃｍから１０ｃｍの範囲で、光ファイバＦ１からＦ６を全長にわたって囲む。
【００６６】
好ましくは、第１の中空円筒の内部の光ファイバＦ１からＦ６の末端部間の距離が、第２の部分ＣＯＮ３＿ＰＡＲＴ２から突出する光ファイバＦ１からＦ６の間の距離より大きい。これによって、充填材ＦＭが、光ファイバＦ１からＦ６の末端部間に達することができ、光ファイバＦ１からＦ６の末端部のそれぞれを別個に囲むことができる。それによって、光ファイバＦ１からＦ６の固定を改善することができる。
【００６７】
内部中空導体ＣＯＮＤ＿ｉｎの内径は、光ファイバＦ１からＦ６を備えるように適合され、光ファイバＦ１からＦ６の、密集してグループ化された配列の全体の外径より大きい。好ましくは、第１のケーブルＣＡＢＬＥ１の内部導体ＣＯＮＤ＿ｉｎおよび外部導体ＣＯＮＤ＿ｏｕｔは、コネクタＣＯＮ１、ＣＯＮ２およびＣＯＮ３のうちの１つによって第１のケーブルＣＡＢＬＥ１の一方または両方の端面で終端される。
【００６８】
図４は、本発明の適用例による基地局ＢＳのブロック図を概略的に示す。図１、図２または図３の要素に相当する図４の要素は、同じ参照数字で示されている。
【００６９】
基地局ＢＳは、基本的に、基地局ラックＢＳＲと、アンテナ・システムＡＮＴＳＹＳと、基地局ラックＢＳＲからアンテナ・システムＡＮＴＳＹＳに電力を供給し、また、信号伝達データを、基地局ラックＢＳＲからアンテナ・システムＡＮＴＳＹＳへのダウンリンク方向およびアンテナ・システムＡＮＴＳＹＳから基地局ラックＢＳＲへのアップリンク方向に供給するための岐線ケーブルとしてのケーブルＣＡＢＬＥ１とを備える。
【００７０】
基地局ラックＢＳＲは、例えば地上レベルに配置されてよく、アンテナ・システムＡＮＴＳＹＳは、建屋の屋根の頂部または独立したアンテナ支柱の頂部に配置されてよい。
【００７１】
基地局ラックＢＳＲは、ベースバンド装置ＢＢＵおよび電源装置ＰＳＵを備える。ベースバンド装置ＢＢＵは、無線リモート・ヘッドＲＲＨ１、ＲＲＨ２、ＲＲＨ３に伝送される、好ましくはデジタルの光信号伝達データまたは利用者データを供給するように適合される。無線リモート・ヘッドＲＲＨ１、ＲＲＨ２、ＲＲＨ３は、光ダウンリンク・データを無線周波数信号に変換してアンテナ・システムＡＮＴＳＹＳに供給するように適合される。アンテナ・システムＡＮＴＳＹＳは、無線リンクによって基地局ＢＳに接続されている移動局に無線周波数信号を伝送する。対応する処理が、移動局からアンテナ・システムＡＮＴＳＹＳおよび無線リモート・ヘッドＲＲＨ１、ＲＲＨ２、ＲＲＨ３を介してアップリンク方向でベースバンド装置ＢＢＵに与えられる。これは周知の事項であり、したがって、より詳細には説明しない。
【００７２】
電源装置ＰＳＵは、ケーブルＣＡＢＬＥ２によってコネクタＣＯＮ１に接続される。無線リモート・ヘッドＲＲＨ１、ＲＲＨ２、ＲＲＨ３は、ケーブルＣＡＢＬＥ２＿１、ＣＡＢＬＥ２＿２、ＣＡＢＬＥ２＿３によってコネクタＣＯＮ２またはＣＯＮ３に接続される。
【００７３】
無線リモート・ヘッドＲＲＨ１、ＲＲＨ２、ＲＲＨ３は、無線リモート・ヘッドＲＲＨ１、ＲＲＨ２、ＲＲＨ３と携帯電話、ノート型パソコンまたはＰＤＡ（ＰＤＡ＝携帯情報端末）などの１つまたはいくつかの移動局の間の無線リンク用に、１つまたはいくつかのアンテナＡＮＴ１、ＡＮＴ２、ＡＮＴ３を備える。好ましくは、各無線リモート・ヘッドＲＲＨ１、ＲＲＨ２、ＲＨＨ３は、基地局ＢＳの無線セルの個別セクタに対して無線範囲を与える。
【００７４】
ベースバンド装置ＢＢＵは、光ファイバＦ１、Ｆ２により、ケーブルＣＡＢＬＥ１を介して、第１のリード線ＰＩＧＴ１によって、第１の無線リモート・ヘッドＲＲＨ１に接続されてよい。ベースバンド装置ＢＢＵは、光ファイバＦ３、Ｆ４により、ケーブルＣＡＢＬＥ１を介して、第２のリード線ＰＩＧＴ２によって、第２の無線リモート・ヘッドＲＲＨ２に接続されてよい。ベースバンド装置ＢＢＵは、光ファイバＦ５、Ｆ６により、ケーブルＣＡＢＬＥ１を介して、第３のリード線ＰＩＧＴ３によって、第３の無線リモート・ヘッドＲＲＨ３に接続されてよい。
【００７５】
好ましくは、ファイバＦ１、Ｆ２の一方が、ベースバンド装置ＢＢＵから第１の無線リモート・ヘッドＲＲＨ１へのダウンリンク接続用に使用され、ファイバＦ１、Ｆ２の他方が、第１の無線リモート・ヘッドＲＲＨ１からベースバンド装置ＢＢＵへのアップリンク接続用に使用される。同様に、光ファイバＦ３、Ｆ４および第２のリード線ＰＩＧＴ２が、ベースバンド装置ＢＢＵを第２の無線リモート・ヘッドＲＲＨ２に接続してよく、光ファイバＦ５、Ｆ６および第３のリード線ＰＩＧＴ３が、ベースバンド装置ＢＢＵを第３の無線リモート・ヘッドＲＲＨ３に接続してよい。
【００７６】
あるいは、単一の光ファイバが、ベースバンド装置ＢＢＵを、無線リモート・ヘッドＲＲＨ１からＲＲＨ３のうちの１つに接続する。このような場合、ダウンリンク信号とアップリンク信号が別々の光波長を用いてよく、光波長を増減するために、ベースバンド装置ＢＢＵおよび無線リモート・ヘッドＲＲＨ１からＲＲＨ３に光学的アドドロップ・マルチプレクサ（add-drop multiplexer）を使用してよい。さらなる代替形態では、基地局ＢＳが、３つ未満または３より多くの無線リモート・ヘッドを備えてよく、第１のケーブルＣＡＢＬＥ１が、６つ未満または６つより多くの光ファイバを備えてよい。
【図１】
0005717874.tif 000002
【図２】
0005717874.tif 000003
【図３】
0005717874.tif 000004
【図４】
0005717874.tif 000005